(57)【要約】患者または他の身体を移すための装置は、筐体と、少なくとも部分的に筐体内に配置されたデッキと、デッキの周りに配置された連続ベルトとを備えている。筐体は、第１および第２の端部に結合された第１および第２の側部と、構造剛性を装置に提供するために側部および端部に取り付けられたパネルを用いて形成される。デッキは、筐体に結合され、連続ベルトは、デッキの周囲を循環し、身体を筐体の第１の側部における第１の表面から筐体の第２の側部における第２の表面に移す。【特許請求の範囲】
【請求項１】
移転デバイスであって、前記移転デバイスは、
筐体であって、前記筐体は、
第１および第２の対向している端部に結合された第１および第２の対向している側部であって、前記端部は、前記筐体が前記第１の側部に近接した第１の表面と前記第２の側部に近接した第２の表面との間の距離に及ぶように寸法を決定されている、第１および第２の対向している側部と、
前記第１および第２の対向している側部と前記第１および第２の対向している端部とに取り付けられたパネルであって、前記パネルは、構造剛性を前記筐体に提供する円周補強部を有する、パネルと
を備えている、筐体と、
少なくとも部分的に前記筐体内に位置付けられ、それに結合されたデッキと、
前記デッキ周りの運動のために配置された連続ベルトと
を備え、
前記連続ベルトは、前記筐体の第１の側部における第１の表面から前記筐体の第２の側部における第２の表面に身体を移すように構成されている、移転デバイス。
【請求項２】
前記パネルは、前記筐体の底部上に配置された水平基部を画定する基部構造を備え、
前記円周補強部は、前記筐体の基部の周辺の周りに延びている垂直側壁を備え、
前記垂直側壁は、前記筐体の前記第１および第２の対向している側部と前記第１および第２の対向している端部とに取り付けられている、請求項１に記載の移転デバイス。
【請求項３】
前記筐体の外部からアクセス可能でない複数の水平に向けられた留め具をさらに備え、前記留め具は、前記パネルと、前記筐体の前記第１および第２の対向している側部と、前記筐体の前記第１および第２の対向している端部とを一緒に接合している、請求項１に記載の移転デバイス。
【請求項４】
前記筐体の前記第１および第２の側部の各々は、集中する上部および底部斜面を有する輪郭が付けられた縁領域を備え、前記集中する上部および底部斜面は、前記第１の表面から前記第２の表面への前記身体の移転における前記身体との人間工学的相互作用のために選択されており、前記筐体の前記第１および第２の側部の各々は、摩擦を提供し、前記身体の移転中、前記移転デバイスを前記第１および第２の表面のうちの少なくとも１つに対して実質的に静止した状態に保つ表面処理または材料をさらに備えている、請求項１に記載の移転デバイス。
【請求項５】
前記筐体の外部周辺を流体または異物の進入からシールするガスケットをさらに備え、前記筐体の外部周辺は、流体シールを備えている、請求項１に記載の移転デバイス。
【請求項６】
前記連続ベルトは、前記デッキの周りに双方向運搬関係に配置され、前記連続ベルトは、移転シートを前記筐体の中に挿入するための１つの方向と、前記身体を前記筐体の前記第１の側部における前記第１の表面から前記筐体の前記第２の側部における前記第２の表面に移すための反対方向とにおける運動のために構成されている、請求項１に記載の移転デバイス。
【請求項７】
１つ以上の耐衝撃性角部材をさらに備え、前記１つ以上の耐衝撃性角部材は、それに入射する衝撃エネルギーを前記筐体の中に消散させるように適合され、前記耐衝撃性角部材は、前記筐体の１つ以上の角に配置されたエラストマ構成要素を備えている、請求項１に記載の移転デバイス。
【請求項８】
前記デッキの第１および第２の側部に沿って延びている第１および第２の細長いローラをさらに備え、前記第１および第２の細長いローラは、前記デッキの過剰なたわみに起因する前記第１および第２の細長いローラと前記デッキの前記第１および第２の側部との間の接触を低減させる距離だけ、前記デッキの前記第１および第２の側部から間隔を置かれている、請求項１に記載の移転デバイス。
【請求項９】
前記デッキは、実質的に対称である上部および底部主表面を備え、前記デッキは、前記筐体の端部フレーム部材からの解放および除去のために、前記筐体の前記端部フレーム部材に取り付け可能であり、
前記デッキは、前記実質的に対称である上部および底部主表面に関して、かつ前記端部フレーム部材に関して、前記筐体内での配置において表裏兼用である、請求項１に記載の移転デバイス。
【請求項１０】
前記デッキは、実質的に連続した上部および底部表面を備え、前記上部または底部表面のいずれにおいても、アクセス可能な機械的留め具またはデッキアセンブリハードウェアを欠いている、請求項１に記載の移転デバイス。
【請求項１１】
前記デッキは、前記上部および底部表面を画定する押し出し成形されたポリマーデッキ本体を備えているか、または、
前記デッキは、前記デッキの前記上部および底部表面を画定するための一緒に結合された２つの実質的に対称であるパネル構造を備え、複数の統合された構造リブ部材が、前記２つの実質的に対称であるパネル構造間に延びている、請求項１０に記載の移転デバイス。
【請求項１２】
前記連続ベルトの内側部分上に配置された低摩擦表面材料であって、前記低摩擦表面材料は、前記連続ベルトの内側部分と前記デッキの上部表面との間の摩擦を低減させるように選択されている、低摩擦表面材料と、
前記連続ベルトの露出表面上に配置された１つ以上の視覚的整列ガイドであって、前記１つ以上の視覚的整列ガイドは、前記ベルト上に設置され、前記身体を前記連続ベルト上で移すために適合された移転シートの整列を誘導するように構成されている、１つ以上の視覚的整列ガイドと、
前記連続ベルトの１つ以上の外側縁上の補強構造であって、前記縁は、摩滅に抵抗し、前記連続ベルトを前記デッキに対して定位置に維持するための緊張を提供するように適合されている、補強構造と
のうちの１つ以上のものをさらに備えている、請求項１に記載の移転デバイス。
【請求項１３】
前記連続ベルトの内側表面および前記デッキの外側表面の一方または両方上のテクスチャ加工をさらに備え、前記テクスチャ加工は、前記連続ベルトの内側表面と前記デッキの外側表面との間の接触の表面積を低減させ、それによって、前記連続ベルトと前記デッキとの間の摩擦を低減させるように選択されている、請求項１に記載の移転デバイス。
【請求項１４】
前記筐体の組立のために適合された複数の機械的接続点をさらに備え、前記機械的接続点は、前記筐体の外部からアクセス不可能な前記筐体の内部表面に沿って配置され、前記移転デバイスは、組み立てられると、前記移転デバイスの外側に露出された機械的留め具構成要素を有していない、請求項１に記載の移転デバイス。
【請求項１５】
前記パネルと前記筐体との間の１つ以上の外部に露出された継ぎ目に沿って配置された１つ以上のガスケットをさらに備え、前記ガスケットは、前記筐体を流体および汚染物質進入に対してシールするように適合されている、請求項１に記載の移転デバイス。
【請求項１６】
身体を第１の表面から第２の表面に移す方法であって、前記方法は、
前記第１の表面と前記第２の表面との間の距離に移転デバイスを架け渡すことであって、前記デバイスは、
第１および第２の対向している端部に結合された第１および第２の対向している側部を伴う筐体であって、前記第１の表面は、前記第１の側部に近接し、前記第２の表面は、前記第２の側部に近接している、筐体と、
前記第１および第２の対向している側部と前記第１および第２の対向している端部とに結合された円周補強部を有するパネルであって、前記円周補強部は、前記身体が装填されているときの前記移転デバイスに構造剛性を提供する、パネルと、
デッキの周りに配置された連続ベルトであって、前記デッキは、少なくとも部分的に前記筐体内に位置付けられ、前記筐体によって支持されている、連続ベルトと
を備えている、ことと、
前記身体を前記連続ベルト上で前記第１の表面から前記第２の表面に移すことと
を含み、
前記身体は、前記デッキによって前記距離をまたいで支持されている、方法。
【請求項１７】
前記パネルの底部上に画定された摩擦表面に沿って前記第１および第２の表面と接触して前記移転デバイスを位置付けることをさらに含み、前記摩擦表面は、前記身体を移す間、前記移転デバイスの位置を前記第１および第２の表面に対して維持するように適合されている、請求項１６に記載の方法。
【請求項１８】
シート材を前記連続ベルトに取り付け、前記シート材の一部を前記連続ベルト上で前記筐体の中に挿入することをさらに含み、前記身体は、前記身体を移す間、前記デッキによって、前記連続ベルトに取り付けられた前記シート材上に支持されている、請求項１６に記載の方法。
【請求項１９】
前記デッキを前記筐体から除去することと、前記デッキの向きを逆転させることと、少なくとも部分的に前記筐体内に前記デッキを再位置付けし、前記筐体によって支持されることとをさらに含み、前記デッキの上部および底部表面、対向している側部、または対向している端部は、逆転されている、請求項１８に記載の方法。
【請求項２０】
第１および第２の細長いローラを前記連続ベルト内に係合することであって、前記第１および第２のローラは、前記デッキの対向している端部からその中央部分へ増加する許容差だけ、前記デッキの対向している側部から間隔を置かれている、ことと、
前記ベルトを前記第１および第２の細長いローラと回転係合させることと
をさらに含み、
前記許容差は、前記第１の表面から前記第２の表面に前記デッキによって支持された前記身体を移す間、前記細長いローラのたわみ時の前記細長いローラと前記デッキの前記対向している側部との間のクリアランスを維持する、請求項１６に記載の方法。
【発明の詳細な説明】
【技術分野】
【０００１】
（関連出願の相互参照）
本願は、参照することによって、全体として、かつあらゆる目的のために本明細書に組み込まれる２０１７年９月２７日に出願された米国仮出願第６２／５６３，８９８号「ＰＡＴＩＥＮＴ  ＴＲＡＮＳＦＥＲ  ＤＥＶＩＣＥ」の優先権を主張する。
（分野）
【０００２】
本開示は、概して、病院および臨床環境ならびに他の医療または患者処置設定における患者搬送に関する。特に、本開示は、例えば、手術室、または検査、実験室、治療、もしくは回復場所において、ベッドまたはストレッチャー間で患者を１つの表面から別の表面に移すための患者移転デバイスに関する。
【背景技術】
【０００３】
病院の日々の業務では、患者は、１つの表面から別の表面に頻繁に移動させられる。多くの事例では、患者は、歩行可能ではなく、看護および／または医療スタッフの補助を伴ってストレッチャーを介して移動させられる。例えば、患者が、外科手術を受けるとき、歩行可能患者でさえ、業務上、および／または、麻酔の影響、もしくは手技から生じる、またはそれに関連する必然的条件に起因して、歩行不能として扱われ得る。
【０００４】
歩行不能患者は、典型的に、患者を新しいエリアに移動させる必要性が存在するときはいつでも、ストレッチャーを介して移動させられる。例えば、外科手術後、看護および／または医療スタッフは、典型的に、手術室から回復室に搬送するために、患者をストレッチャーに移す。概して、患者は、回復室に居る間、ストレッチャー上に留まる。回復時、患者は、ストレッチャー上で病室に移動させられる。病室に入ると、患者は、看護および／または医療スタッフによって、ストレッチャーから病院用ベッドに移動させられる。
【０００５】
患者を移動させるために使用されるいくつかの従来技術デバイスが、米国特許第８，７８２，８２６号（特許文献１）、第９，１０１，５２１号（特許文献２）、および第９，１１４，０５０号（特許文献３）（全て、本出願人に譲渡されている）に開示されている。本開示は、これらの従来技術デバイスの改良および／または代替を提供するデバイスを開示する。特に、本設計は、重い患者（現在、より一般に遭遇される）の負荷下における構造のさらなる安定性と、汚染物質侵入を防止し、デバイスの清掃を促進し、感染症の拡散を低減させるための改良とを達成することに対処する。
【先行技術文献】
【特許文献】
【０００６】
【特許文献１】米国特許第８，７８２，８２６号明細書
【特許文献２】米国特許第９，１０１，５２１号明細書
【特許文献３】米国特許第９，１１４，０５０号明細書
【発明の概要】
【課題を解決するための手段】
【０００７】
本明細書に説明される種々の実施例および実施形態は、病院の手術室、ならびに他の臨床、実験室、検査、治療、搬送、および回復環境において、表面間、例えば、ベッド、ストレッチャー、または他の場所間で患者もしくは他者の身体を移すための患者移転デバイスに関する。
【図面の簡単な説明】
【０００８】
【図１Ａ】図１Ａは、本開示の種々の実施形態による移転デバイスの斜視図である。
【０００９】
【図１Ｂ】図１Ｂは、患者移転において使用するために位置付けられる移転シートを伴う移転デバイスを示す別の斜視図である。
【００１０】
【図２】図２は、図１の実施形態による移転デバイスの上面図である。
【００１１】
【図３】図３は、図１の実施形態による移転デバイスの底面図である。
【００１２】
【図４】図４は、図１の実施形態による移転デバイスの分解図である。
【００１３】
【図５】図５は、図１の実施形態による移転デバイスの筐体の斜視図である。
【００１４】
【図６】図６は、図５の実施形態による支持デバイスの構造パネルの斜視図である。
【００１５】
【図７】図７は、図６の実施形態による構造パネルの一部の詳細図である。
【００１６】
【図８】図８は、図６の実施形態による構造パネルの別の斜視図である。
【００１７】
【図９】図９は、図１の実施形態による移転デバイスの詳細断面図である。
【００１８】
【図１０】図１０は、本開示の代替実施形態による移転デバイスの詳細断面図である。
【００１９】
【図１１】図１１は、図１の実施形態による移転デバイスの詳細断面図である。
【００２０】
【図１２】図１２は、図１の実施形態による移転デバイスの詳細断面図である。
【００２１】
【図１３】図１３は、図５の実施形態による角緩衝材を伴わない筐体の斜視図である。
【００２２】
【図１４】図１４は、図５の実施形態による筐体の詳細断面図である。
【００２３】
【図１５】図１５は、図５の実施形態による上側筐体シェルが除去されている筐体の詳細斜視図である。
【００２４】
【図１６】図１６は、図１の実施形態による移転デバイスのデッキの斜視部分切断図である。
【００２５】
【図１７】図１７は、図１６の実施形態によるデッキの上部平面図である。
【００２６】
【図１８】図１８は、本開示の代替実施形態による移転デバイスのデッキの上部平面図である。
【００２７】
【図１９】図１９は、図１の実施形態によるローラおよびデッキの周囲に巻き付けられたベルトの詳細断面図である。
【００２８】
【図２０】図２０は、図１の実施形態による移転デバイスの連続ベルトの斜視図である。
【００２９】
【図２１Ａ】図２１Ａは、図５の実施形態によるリブを含む移転デバイスの筐体の斜視図である。
【００３０】
【図２１Ｂ】図２１Ｂは、図２１Ａの実施形態による移転デバイスの構造パネルの斜視図である。
【００３１】
【図２２】図２２は、図１７の実施形態によるより少ないリブを伴う移転デバイスのデッキの斜視図である。
【００３２】
【図２３】図２３は、図２２の実施形態による図２２における線２３−２３に沿って得られた、移転デバイスのデッキの断面図である。
【００３３】
【図２４】図２４は、図２２の実施形態による移転デバイスのデッキの分解斜視図である。
【発明を実施するための形態】
【００３４】
図１Ａは、患者搬送システム、装置、アセンブリ、またはデバイス１００（限定ではなく、明確にするために、「移転デバイス」）の斜視図である。図１Ｂは、患者移転において使用するために位置付けられる移転シート３００を伴う移転デバイス１００を示す代替斜視図である。
【００３５】
患者搬送システムまたは移転デバイス１００は、デッキアセンブリ１０２と、デッキアセンブリ１０２を支持するための筐体１０４とを含む。デッキアセンブリ１０２は、デッキ（例えば、図１６−１８におけるデッキ１３０または１３２参照）と、１つの表面から隣接する表面への患者の移転を促進するために、デッキの周りに走らされた連続ベルト１０６とを含む。例えば、ベルトまたはウェビング１０６は、筐体１０４に対して移動可能であり、筐体１０４の片側から筐体１０４の反対側への患者の移転を促進し得る。
【００３６】
図１Ｂに示されるように、シート材３００（例えば、使い捨て移転シート）が、移転デバイス１００の上部に、および部分的にその中に位置付けられ得、デバイス１００は、患者が移動させられることになる第１の患者支持表面３２１と第２の患者支持表面３２２との間の間隙または距離ＤＳをまたいで延びている。筐体１０４は、シート材３００を下にある表面３２１、３２２から遮蔽し、患者を１つの表面から別の表面に運搬する間、筐体１０４からのシート材３００の清潔な除去を確実にする。ベルト１０６への除去可能取り付けは、シート材３００が、移転中、ベルトとともに移動し、患者とともに留まる一方、デッキアセンブリ１０２（ベルト１０６を含む）および筐体１０４は、移転後、除去されることを可能にする。
【００３７】
シート材３００は、吸収性層を備え、患者移転を実施する人物によって握持され得るその露出された縁３５７における材料の層も有し得る。移転を設定するために、接着剤の１つ以上の下面パッチ（露出された縁３５７に隣接する下面パッチ３５５に匹敵する）を有し得る露出された縁３５７と反対側のシートの縁が、ベルト１０６を横断して設置され、ベルト１０６に接着させられ得る。ベルト１０６は、対向する間隔を置かれたローラ１１８、１２０（図１Ａにおけるベルト１０６の下にある）の周りの双方向運動のために構成される。
【００３８】
シート３００が、ベルト１０６に接着させられると、デバイスが、患者に適用される前、ベルト１０６が、シート３００の一部を筐体１０４の中に引き込むか、または挿入するために回転させられ得る。その後、シート３００が挿入された搬送デバイス１００の縁が開始側表面３２１上に置かれた患者の下に設置され（典型的に、開始側表面上で患者の側面を一時的に上にするように患者を回転させることによって）、それによって、背中が下になるように患者を回転させると、患者の体重の大部分は、シート３００および下にあるベルト１０６上に置かれるようになる。
【００３９】
患者の移動は、開始側表面３２１に最も近い患者の側の「押す」人（例えば、看護および／または医療スタッフ）によって始動され、目的地側表面３２２に最も近い患者の側の「引っ張る」人（例えば、看護および／または医療スタッフ）によって完了され得る。「押す」人は、力を患者（例えば、患者の側面）に加えることによって、患者移転を始動させ得、「引っ張る」人は、患者の片側のシート材３００の縁を握持し、それぞれの縁を引っ張り、移転デバイス１００を横断して第１の（開始側）表面３２１から第２の（目的地側）表面３２２に（例えば、手術台または実験室もしくは検査ステーションからベッドまたはストレッチャーに）患者を移動させ得る。
【００４０】
ベルト１０６は、シート３００の挿入のためのベルト運動方向と反対の矢印３２０によって示される方向へのシート材３００の移動に従うことによって、シート３００上の患者を運搬し、目的地側表面３２２への患者移転をもたらし得る。シート材３００は、完全または部分的に補強され、例えば、標的化された材料完全性を提供し、ベッド表面上の患者の位置を上昇または別様に調節することによって、随意の移転後利便性をスタッフに提供し得る。移転デバイス１００は、引っ張りが生じ得る縁の引っ張り強度を限定することによって、引っ張る人による患者移転の始動を阻止し、それによって、引っ張る人を保護し得る（すなわち、引っ張る人から離れて位置している負荷を移動させることは、引っ張る人の肩および背中に負荷／応力を移し得、肩および背中は、一般的かつ代償の大きい傷害リスクのエリアである）。
【００４１】
図２は、移転デバイス１００の上面図である。図３は、移転デバイス１００の底面図である。ここで図１−３を参照し、移転デバイス１００が、さらに説明されるであろう。
【００４２】
筐体１０４は、概して、第１の表面と第２の表面との間の距離ＤＳに及ぶように寸法を決定される。筐体１０４は、第１の細長い側部フレーム（またはフレーム部材）１０８と、第２の細長い側部フレーム（またはフレーム部材）１１０と、第１の細長い端部フレーム（またはフレーム部材）１１２と、第２の細長い端部フレーム（またはフレーム部材）１１４とを含む。端部フレーム部材１１２、１１４は、側部フレーム部材１０８、１１０に取り付けられ、筐体１０４の周辺構造を形成し、パネル１１６が、フレーム部材１０８、１１０、１１２、１１４間に及び、それに取り付けられ、筐体１０４の底部を形成する。
【００４３】
概して、側部フレーム部材１０８、１１０は、患者の身長寸法に沿って延び、端部フレーム部材１１２、１１４は、第１の表面と第２の表面との間の距離をまたいで延びている。筐体１０４は、第１の表面と第２の表面との間の距離に及ぶ間、故障しないような強度を有するように、十分な強度で作製される。筐体１０４は、第１の表面から第２の表面へのその移転における患者との人間工学的相互作用のために選択された集中する上部および底部斜面を有する輪郭が付けられた縁領域を含み得る。
【００４４】
デッキアセンブリ１０２は、筐体１０４の第１の細長いフレーム部材１０８の近くでデッキ構造（例えば、図１６−１８におけるデッキ１３０または１３２）の一方の側に沿ってベルト１０６の下に位置付けられた第１の細長いローラ１１８と、筐体１０４の第２の細長いフレーム部材１１０の近くでデッキの別の反対の側に沿ってベルト１０６の下に位置付けられた第２の細長いローラ１２０とを含み得る。代替として、ローラなしデッキアセンブリ１０２が、提供され、低摩擦支承表面が、一方または両方のローラ１１８、１２０に取って代わり得る。
【００４５】
図４は、例えば、図１の実施形態による移転デバイス１００の分解図である。図４に示されるように、連続ベルト１０６は、ベルト１０６が、ローラ１１８、１２０に対して運搬関係に位置付けられるように、ローラ１１８、１２０の上に適合する。
【００４６】
一対のコネクタプレート１２２、１２４が、細長いローラ１１８、１２０およびデッキのそれぞれの端部に取り付けられ得、ローラ１１８、１２０は、コネクタプレート１２２、１２４およびデッキに対して回転可能である。コネクタプレート１２２、１２４は、概して、互いに間隔を置かれ、平行にローラ１１８、１２０を維持する。コネクタプレート１２２のうちの一方は、第１の端部フレーム部材１１２に取り付け可能であり、他方のコネクタプレート１２４は、第２の端部フレーム部材１１４に取り付け可能であり、それによって、デッキアセンブリ１０２を筐体１０４に取り付ける。コネクタプレート１２２、１２４は、例えば、清掃のためのデッキアセンブリ１０２の筐体１０４からの除去を可能にする保持／解放機構を含み得る。
【００４７】
第１および第２のローラ１１８、１２０とデッキ（例えば、図１６−１８におけるデッキ１３０、１３２）とは、連続ベルト１０６の内部に位置付けられる。連続ベルト１０６の一部は、移転デバイス１００を横断して患者を運搬する一方、連続ベルト１０６の残りの部分は、筐体１０４とデッキとの間を通る。筐体１０４とデッキとの間を通ることによって、連続ベルト１０６は、第１の表面または第２の表面（患者は、そこからまたはそこに移される）に接触せず、それによって、第１および第２の表面間の材料の相互汚染を低減させる。
【００４８】
筐体１０４の第１および第２の側部フレーム（またはフレーム部材）１０８、１１０の指定は、恣意的であり、第１および第２の端部フレーム（またはフレーム部材）１１２、１１４、および第１および第２のローラ１１８、１２０の指定も同様であることに留意されたい。これらの指定のいずれかまたは全ては、一般性を失うことなく、入れ替えられ、または逆にされ得る。例えば、デッキアセンブリ１０２は、筐体１０４の第１の側部フレーム部材１０８から第２の側部部材１１０、または第２の側部部材１１０から第１の側部部材１０８のいずれかの方向において、患者を移すように構成され得る。筐体１０４も、水平または垂直平面のいずれかもしくは両方において回転させられ、例えば、第１および第２の表面に対する第１および第２の側部フレーム部材１０８、１１０のそれぞれの場所を交換すること、および／または、第１および第２の端部フレーム部材１１２、１１４の場所を交換することができる。
【００４９】
ローラボードおよび他の既存のシステムと対照的に、例えば、患者移転システムは、移転プロセス中、第１の表面と第２の表面との間の間隙ＤＳをまたいで実質的に静止したままであり、第１の表面から第２の表面への相互汚染のリスクを低下させ、要求される患者操作の数を低減させる。移転プロセス中、患者の体重は、デッキアセンブリ１０２によって支持され、例えば、垂直（重力）負荷が、患者身体から、ベルト１０６を通して、デッキ（例えば、図１６−１８におけるデッキ１３０、１３２）上に移され、それから、第１の表面および／または第２の表面に移される。デッキアセンブリ１０２は、筐体１０４によって、第１および第２の表面から分離され、第１の表面から第２の表面への材料の相互汚染のリスクを低減させる。この「間隔を置かれた」または「分離された」患者移転構成は、他のデバイスと比較して、各患者移転において要求される操作の数も低減させる。
【００５０】
（表裏兼用デッキ）
図１６は、例えば、図１の実施形態による移転デバイス１００のデッキ１３０の斜視部分切断図である。図１７は、例えば、図１６の実施形態によるデッキ１３０の上部平面図である。図１８は、本開示の代替実施形態による移転デバイスのデッキ１３２の上部平面図である。
【００５１】
図１６−１８を参照すると、支持デッキ１３０（図１６、１７、および図２２−２４）および代替支持デッキ１３２（図１８）が、図示される。デッキ１３０、１３２は、連続ベルト１０６内に位置付けられ、少なくとも部分的または完全に、筐体１０４内に受け取られるように構成される。デッキ１３０、１３２は、それぞれ、接続プレート１２２、１２４を介して、第１および第２の細長いフレーム部材１１２、１１４に結合される。デッキ１３０、１３２は、筐体１０４の片側から、デッキをまたいで筐体１０４の反対側までの移転中、患者または他者の身体を支持するように構成される。
【００５２】
デッキ１３０、１３２は、表裏兼用であるように構成され得る。例えば、デッキ１３０、１３２は、同じ表面を各それぞれのデッキ１３０、１３２の両側に有し、それによって、デッキ１３０、１３２は、移転デバイス１００または患者に影響を及ぼすことなく、いずれの側が外部に面した状態でも、筐体１０４の中に設置され得、それによって、移転デバイス１００およびその構成要素の寿命を増加させ得る。デッキ１３０、１３２を表裏兼用であるように設計することによって、デッキ１３０、１３２は、例えば、デッキが、筐体１０４およびデッキまたはベルトを清掃するために、筐体１０４から除去された後、デッキを上下逆の状態で筐体１０４内に設置する可能な間違いを排除する。
【００５３】
両面デッキ１３０、１３２は、向き特定のデッキを上下逆の状態で筐体１０４内に設置することによって生じるベルト１０６上の予期せぬ磨耗を防止し、したがって、ベルト１０６の寿命を増加させ、高品質画像を顧客に提示する。デッキ１３０、１３２の上側および下側表面の両方は、低摩擦表面仕上げ（例えば、選択されたポリマーまたは最適化された熱可塑性材料）、テクスチャ、または被覆（例えば、ＴＥＦＬＯＮ（登録商標）またはシリコーン材料で含浸されたナイロン）を有し、デッキと包囲ベルト１０６との間の静止および動的摩擦係数を低減させ得る。
【００５４】
図１６は、例えば、図１の実施形態による移転デバイスのデッキ１３０の斜視部分切断図である。図１７は、例えば、図１６の実施形態によるデッキ１３０の上部平面図である。図１７を参照すると、デッキ１３０の上部平面図が、図示される。
【００５５】
図２２は、例えば、図１７の実施形態によるより少ないリブ１５０を伴う移転デバイスのデッキ１３０の斜視図である。図２２を参照すると、デッキ１３０の斜視図が、図示される。
【００５６】
デッキ１３０の底部平面図は、デッキ１３０の上部平面図と類似または実質的に同じである。デッキ１３０の対向主表面１３４、１３６は、類似、対称、または実質的に同じであり、デッキ１３０は、いずれの向きにおいても筐体１０４内に据え付けられ、主表面１３４、１３６のいずれも、筐体１０４から外向きに面することができる。デッキの上部および底部主表面は、故に、実質的に対称である。
【００５７】
デッキ１３０は、それぞれの接続プレート１２２、１２４および／または筐体１０４の端部フレーム部材１１２、１１４への取り付けのための対向している端部１３８、１４０を含む。デッキ１３０は、細長いローラ１１８、１２０との隣接した設置のために、対向している側部１４２、１４４を含む。デッキ１３０の主表面１３４、１３６と同様に、筐体１０４の中へのデッキ１３０の据え付けが、向き特定ではなく、デッキ１３０が、対向表面１３４、１３６、端部１３８、１４０、および側部１４２、１４４がいずれかの向きにある状態で据え付けられ得るように、端部１３８、１４０は、互いに類似、対称、または実質的に同じであり得、側部１４２、１４４は、類似、対称、または実質的に同じであり得る。デッキ１３０は、ベルト１０６が、主表面１３４、１３６に沿って延び、デッキ１３０の側部１４２、１４４に沿って配置されるローラ１１８、１２０の周囲に巻き付くように、ベルト１０６の内側に受け取られるように構成される。
【００５８】
図２３は、例えば、図２２の実施形態による線２３−２３に沿って得られた移転デバイスのデッキ１３０の断面図である。図２４は、例えば、図２２の実施形態による移転デバイスのデッキ１３０の分解斜視図である。
【００５９】
図１６および２３を参照すると、デッキ１３０は、統合されたリブ１５０を伴う２つの同じ圧力形成されたパネル１４６、１４８を用いて作製され得、リブ１５０は、剛性を主表面１３４、１３６と、概して、デッキ１３０の構造とに提供する。
【００６０】
図２３に図示されるように、各パネル１４６、１４８のリブ１５０は、主表面１３４、１３６が、実質的に平面であり、患者移転を促進し、リブ１５０が、主表面１３４、１３６の剛性を増加させるように、そのそれぞれの主表面１３４、１３６から内向きに突出し得る。この方式では、リブ１５０は、デッキ１３０の全体的外形を増加させずに主表面１３４、１３６の剛性を増加させる。
【００６１】
パネル１４６、１４８のリブ１５０は、隣接するリブ１５０が、互いに対して接触し、主表面１３４、１３６の剛性をさらに増加させるように、互いに整列させられ得る。隣接するリブ１５０は、それぞれ、パネル１４６、１４８の主表面１３４、１３６間に等距離で位置付けられるデッキ１３０の正中線に沿って、互いに対して接触し得る。パネル１４６、１４８あたりのリブ１５０の数は、用途に応じて変動し得る。例えば、各パネル１４６、１４８は、図２２−２４に図示されるような５つのリブ１５０、図１６および１７に図示されるような１２のリブ１５０、または必要に応じたリブ１５０の他の数を含み、所望の剛性の量を主表面１３４、１３６に提供し得る。
【００６２】
圧力形成されたパネル１４６、１４８は、デッキ１３０の重量の低減を可能にし、それによって、移転デバイス１００の全体的重量を減少させる。各パネル１４６、１４８は、例えば、任意のアルミニウム合金、マグネシウム合金、または任意の他の構造的に強固な金属、合金、もしくはプラスチック／ポリマーで形成され得る。パネル１４６、１４８は、一緒に取り付けられ、強固な両面デッキ本体１３０を作成し得る。例えば、隣接するリブ１５０（図２３参照）は、一緒に取り付けられ（例えば、一緒に溶接される、リベット留めされる、または別様に固定される）、パネル１４６、１４８を一緒に固定し得る。加えて、または代替として、パネル１４６、１４８の周辺は、外部キャップまたは内壁システム等によって、一緒に接合され得る。
【００６３】
図２４を参照すると、一実施形態によるデッキ１３０の分解図が、図示される。図２４に図示されるように、接合バンド１４１は、パネル１４６、１４８を一緒に接続し得る。接合バンド１４１は、単一の一体型構成要素として形成され得るか、またはパネル１４６、１４８のそれぞれの側部および端部を一緒に接続するために、図２４に図示されるように、別個の区分１４１ａ、１４１ｂ、１４１ｃ、１４１ｄから形成され得る。例えば、第１および第２の接合バンド１４１ａ、１４１ｃは、パネル１４６、１４８のそれぞれの端部１３８、１４０を一緒に接続するために使用され得、第３および第４の接合バンド１４１ｂ、１４１ｄは、それぞれの側部１４２、１４４を一緒に接続するために使用され得る。
【００６４】
各パネル１４６、１４８は、パネル１４６、１４８への接合バンド１４１の取り付けを促進するように構成される内向きに曲げられた周辺フランジ１４３を含み得る。周辺フランジ１４３は、各パネル１４６、１４８の周辺の周囲に連続的または断続的に延び得る。パネル１４６、１４８および接合バンド１４１は、図示されるリベット１４５等の留め具を介して、一緒に取り付けられ得る。
【００６５】
図２４を継続して参照すると、デッキ１３０は、デッキ１３０を移動させることにおいてユーザ（例えば、看護士および／または医療スタッフ）を促進するための取り扱い特徴を含み得る。例えば、図２２に図示されるように、デッキ１３０は、デッキ１３０の各端部１３８、１４０に近接して位置するハンドル１４７を含み得る。それぞれの端部レール１４９が、少なくとも部分的にハンドル１４７を定位置に固定し得、それぞれの開口１５１が、それぞれのハンドル１４７と端部レール１４９との間に画定され、ユーザの手を収容し得る。各ハンドル１４７は、湾曲され得、各ハンドル１４７の端部は、端部レール１４９内に画定された受け取り孔の中へのスナップ嵌め等の種々の様式において、それぞれの端部レール１４９に取り付けられ得る。
【００６６】
端部レール１４９は、ハンドル１４７の両側に沿って延びている保護部１５３を含むことにより、ハンドル１４７とパネル１４６、１４８との間の界面を通した汚染物質の潜入を阻止し得る。保護部１５３は、表面１３４、１３６の周囲のベルトの移動に干渉しないように、パネル１４６、１４８の主表面１３４、１３６と実質的に同一平面にあり得る（図２３参照）。保護部１５３は、少なくとも部分的に開口１５１を取り囲み得る。
【００６７】
図２４を参照すると、各ハンドル１４７は、パネル１４６、１４８の端部１３８、１４０内に画定される略半円形カットアウト１５５内に受け取られ得る。ハンドル１４７は、図２４に図示されるリベット１５７等を介して、種々の様式において、パネル１４６、１４８の端部に取り付けられ得る。
【００６８】
端部レール１４９は、デッキ１３０の各それぞれの端部１３８、１４０に沿って延び得る。端部レール１４９は、図２４に図示されるねじ１５９等を介して、種々の様式においてパネル１４６、１４８の端部１３８、１４０に取り付けられ得る。パネル１４６、１４８に取り付けられると（図２２参照）、端部レール１４９は、端部キャップとして機能し、パネル１４６、１４８の端部を汚染からシールし得、ハンドル１４７は、開口１５１を通して見え得る。
【００６９】
端部レール１４９は、デッキ１３０の各側部１４２、１４４とともに、ローラ１１８、１２０を回転支持し得る。例えば、図２４に図示されるように、各端部レール１４９は、２つの内向きに突出する柱部１６１を含み得、ローラ１１８、１２０の端部は、柱部１６１に搭載され、デッキ１３０の周囲のベルトの循環中、柱部１６１の周りで回転する。各それぞれの端部レール１４９上の柱部１６１は、クリアランス間隙をローラ１１８、１２０とデッキ１３０の側部１４２、１４４との間に伴うローラ１１８、１２０間のパネル１４６、１４８の位置付けを可能にする十分な距離で、互いから間隔を置かれ得る。
【００７０】
デッキ１３０を組み立てるために、パネル１４６、１４８は、リベット１４５、スポット溶接、および／または他の留め方法等を介して、一緒に接続され得る。ハンドル１４７は、リベット１５７、スポット溶接、および／または他の留め方法等を介して、パネル１４６、１４８の端部に接続され得る。次いで、端部レール１４９は、ねじ１５９、リベット、スポット溶接、および／または他の留め方法等を介して、パネル１４６、１４８の端部に接続され得る。
【００７１】
パネル１４６、１４８への端部レール１４９の接続中、ローラ１１８、１２０は、端部レール１４９が、パネル１４６、１４８に接続されると、ローラ１１８、１２０が、柱部１６１上に回転搭載されるように、端部レール１４９上の柱部１６１と整列させられ得る。パネル１４６、１４８への端部レール１４９の接続中、ハンドル１４７も、各端部レール１４９上の保護部１５３間に受け取られ得、ハンドル１４７は、ハンドル１４７の端部と端部レール１４９との間のスナップ嵌め接続等を介して、それぞれの端部レール１４９に接続され得る。
【００７２】
既存の患者移転デバイスに対して、デッキ１３０は、より高速の組立、より少ないハードウェア、およびより少ない部品を提供する。デッキ１３０は、既存の患者移転デバイスのためのデッキより重量が軽く、露出されたハードウェアを含まず、統一されたフレームおよびパネルを含み、内部フレーム部品を含まない。デッキ１３０は、リベット留めされた周辺継ぎ目を含み、パネル１４６、１４８の高速組立を提供し得る。
【００７３】
図１８に戻って参照すると、デッキ１３２の上部平面図が、図示される。デッキ１３２の底部平面図は、デッキ１３２の上部平面図と同じであり、したがって、底部平面図は、省略される。デッキ１３２の対向主表面１５２、１５４は、互いに類似、対称、または実質的に同じであり、したがって、デッキ１３２は、主表面１５２、１５４のいずれが筐体１０４から外向きに面した状態でも、いずれの向きにおいても、筐体１０４内に据え付けられることができる。デッキ１３２は、接続プレート１２２、１２４および／または筐体１０４の端部フレーム１１２、１１４への取り付けのために、それぞれ、対向している端部１５６、１５８を含む。デッキ１３２は、細長いローラ１１８、１２０に隣接した設置のために、対向している側部１６０、１６２を含む。
【００７４】
デッキ１３２の主表面１５２、１５４と同様、筐体１０４の中へのデッキ１３２の据え付けが、向き特定ではなく、デッキ１３２が、対向表面１５２、１５４、端部１５６、１５８および側部１６０、１６２がいずれの向きにある状態でも据え付けられ得るように、端部１５６、１５８は、互いに類似、対称、または実質的に同じであり得、側部１６０、１６２は、類似、対称、または実質的に同じであり得る。デッキ１３２は、ベルト１０６が、主表面１５２、１５４に沿って延び、デッキ１３２の側部１６０、１６２に沿って配置されるローラ１１８、１２０の周囲に巻き付くように、ベルト１０６の内側に受け取られるように構成される。デッキ１３２は、押し出し成形されるか、または、本明細書に開示される他の構造を有し得る。
【００７５】
図１６および１７に戻って参照すると、デッキ１３０は、どんなハードウェアもその上部および底部主表面１３４、１３６上に有していない。同様に、図１８を参照すると、デッキ１３２は、どんなハードウェアもその上部および底部主表面１５２、１５４上に有していない。表面ハードウェアを排除することは、平滑かつ一貫した表面を提供し、ベルト１０６の性能および寿命を改良し、患者のための快適性を増加させる。
【００７６】
（ローラとデッキとの間の距離）
図１９は、例えば、図１の実施形態によるローラ１１８およびデッキ１３２の周囲に巻き付けられたベルト１０６の詳細断面図である。ローラ１１８、１２０とデッキの側部（例えば、図１６−１７に図示されるデッキ１３０の側部１４２、１４４または図１８に図示されるデッキ１３２の側部１６０、１６２）との間の距離は、既存の類似移転デバイスに対して増加させられ得る。
【００７７】
図１９を参照すると、ローラ１１８は、デッキ１３２から距離Ｄ１だけ分離される。より具体的には、距離Ｄ１は、ローラ１１８の外側表面とデッキ１３２との間に画定される。距離Ｄ１は、筐体のデッキ１３２の過剰なたわみに起因したローラ１１８とデッキ１３２の側部１６０との間の可能な接触を低減させるように寸法を決定される。いくつかの実施形態では、距離Ｄ１は、少なくとも２．５ｍｍである。
【００７８】
ローラ１１８および側部１６０のみが、簡略化目的のために、図１９に図示されるが、ローラ１２０も同様に、デッキ１３２の側部１６２から距離Ｄ１だけ分離される。同様に、デッキ１３０が、使用されるとき、ローラ１１８は、側部１４２から距離Ｄ１だけ分離され、ローラ１２０は、側部１４４から距離Ｄ１だけ分離される。したがって、ローラ１１８、１２０は、距離Ｄ１に起因して、患者移転中、デッキ１３０、１３２の側部からの干渉なく、自由に回転したままである。
【００７９】
ローラ１１８、１２０および隣接する筐体のたわみの量に応じて、他の措置も、適正な距離Ｄ１を維持することを補助するために講じられ得る。具体的には、第１および第２の細長いローラは、デッキの対向している端部からその中央部分へと増加する許容差だけ、デッキの対向している側部から間隔を置かれ得、許容差は、患者を第１の表面から第２の表面に連続ベルト上で移す際、ローラおよび／または筐体の曲がりのためのクリアランスを維持するように選択される。
ベルト
【００８０】
図２０は、例えば、図１の実施形態による移転デバイスの連続ベルト１０６の斜視図である。図２０を参照すると、連続ベルト１０６の斜視図が、示される。ベルト１０６は、１つ以上の視覚的整列ガイド線１６６を含み、ベルト１０６上への使い捨て移転シートの装填および筐体の中への挿入を促進し得る（上記の図１Ｂの議論参照）。
【００８１】
例えば、図２０におけるベルト１０６は、３つの視覚的整列ガイド線１６６をベルト１０６の上側表面上に含むが、３つより多いまたはより少ない線１６６が、含まれてもよい。視覚的整列ガイド線１６６は、ローラ１１８、１２０と平行に延び（図４参照）、シートを筐体の中に挿入するために、ベルト１０６に取り付けられるとき、移転シートの縁がローラ１１８、１２０と平行に設置されることを確実にし得る。図２０に図示されるように、視覚的整列ガイド線１６６は、ローラ１１８、１２０の長さの大部分に延び得る。視覚的整列ガイド線１６６は、移転デバイス１００の他の特徴と一致するように合わせて作られ得る。
【００８２】
図２０を依然として参照すると、ベルト１０６の露出された外側縁１６８は、縁取りされるか、または、別様に補強構造を用いて、例えば、摩滅に抵抗するコーティングまたはシールによって、保護されるように仕上げられ得る。ベルト１０６の未加工縁は、特に、ベルト１０６が、移動し、デッキ１３０、１３２に対して擦れる事例では、摩擦および磨損を受けやすく、経時的に磨耗を受けやすい。縁取り／保護された縁１６８は、ベルト１０６の寿命を改良し、縁磨損等の外観的および／または機能的問題を緩和する。縁取りされた縁１６８は、ベルト１０６の中心１７０と縁１６８との間でベルト円周サイズ（または長さ）を変化させる（すなわち、改良された機能のために、より弛んだ中心領域１７０を比較的に少ない緊張で維持しながら、緊張を縁１６８上に提供する）ことによって、ベルト移動に対する抵抗を提供し得る。縁取りされた縁１６８は、ベルト１０６の内側または外側表面上にあり得、ベルト１０６と同一材料または異なる材料から形成され得る。
【００８３】
ベルト１０６は、デッキ１３０、１３２上の引きずりを低減させるための低摩擦内部表面または裏地１７２を含み得る。内部表面１７２は、低摩擦表面仕上げ（例えば、選択されたポリマーまたは最適化された熱可塑性材料）、テクスチャ、または被覆（例えば、ＴＥＦＬＯＮ（登録商標）またはシリコーン材料で含浸されたナイロン）を含み、静的および動的摩擦係数を低減させ得る。加えて、または代替として、内部表面１７２は、デッキ１３０、１３２の外側表面と相互作用し、低摩擦を促進するように構成され得る。例えば、ベルト１０６の内部表面１７２とデッキ１３０、１３２の外側表面との間のパターン相互作用は、低摩擦をそれぞれの表面間に提供し得る。したがって、ベルト１０６は、デッキ上を移動する。換言すると、デッキは、身体の移転において移動部品を実質的に有していない。
【００８４】
いくつかの実施形態では、デッキ１３０、１３２は、移動ベルト１０６との摩擦を低減させるために、コーティングされ得るか、または、別の低減させられた摩擦表面が、使用され得る。低減させられた摩擦表面のための好適なコーティングおよび表面仕上げ技法は、限定ではないが、粉末コーティング（例えば、流動性乾燥粉末コーティング技法）、テクスチャ加工された表面施工、フィルムコーティング、蒸着、噴霧、および低減させられた摩擦、耐久性、ならびに他の性質のために選択される他のコーティングおよび表面仕上げ技法を含む。移転ベルト１０６も、低減させられた摩擦（例えば、内側）表面または層、例えば、移転ベルト１０６とデッキ１３０、１３２の対面表面との間の界面に沿った摩擦を低減させるように選択されるシリコーン含浸ナイロンまたは他の材料を具備し得る。
【００８５】
（筐体のシールされた周辺縁）
図９は、例えば、図１の実施形態による移転デバイスの詳細断面図である。筐体１０４の外部周辺縁は、シールされ、シールされていない継ぎ目縁に沿った、汚染物質、特に、血液または尿等の汚染流体の進入および潜伏のリスクを低減させ得る。筐体１０４および／またはあるハードウェアの設計は、筐体１０４の周辺に沿った緊密な装備を確実にするために使用され得る。
【００８６】
図９を参照すると、筐体１０４は、周辺ガスケットまたは弾性緩衝材１７４を含み、筐体１０４の周辺に沿った緊密な装備を確実にし得る。例えば、周辺ガスケット１７４は、筐体１０４の上側筐体シェル１７６および下側筐体シェル１７８等の２つの筐体部分間の界面をシールし得る。周辺ガスケット１７４は、エラストマ材料から作製され得る。いくつかの実施形態では、周辺ガスケット１７４は、Ｓｈｏｒｅ  Ａ硬度１０〜１００を有し得る。
【００８７】
図１０は、本開示の代替実施形態による移転デバイスの詳細断面図である。図１０を参照すると、ある代替構成では、筐体シェル１７６、１７８は、液密接触嵌合を筐体シェル１７６、１７８間に形成し、それによって、筐体１０４の周辺の周囲に延びているシールされたまたはシール可能縁１８０を形成するように設計され得る。シールされた縁１８０は、筐体シェル１７６、１７８（プラスチック等）と同一材料、または、例えば、Ｓｈｏｒｅ  Ａ硬度１０〜１００を伴うエラストマ材料であり得る。
【００８８】
筐体シェル１７６、１７８は、例えば、留め具１８２を介して、一緒に結合され得る。留め具１８２は、筐体シェル１７６、１７８を一緒に固定し、周辺ガスケット１７４またはシールされた縁１８０が、筐体シェル１７６、１７８間のシールされた界面を維持し、筐体１０４の外部周辺縁に沿った汚染物質の進入および潜伏のリスクを低減させることを確実にし得る。
【００８９】
（筐体シェルと底部パネルとの間のガスケット式継ぎ目）
図１１は、例えば、図１の実施形態による移転デバイスの詳細断面図である。図１２は、例えば、同様に図１の実施形態による移転デバイスの詳細断面図である。
【００９０】
継ぎ目は、その中への流体および他の汚染物質の進入および潜伏のリスクを示し、概して、容易に清掃可能ではない。図１１および１２を参照すると、筐体１０４は、１つ以上のガスケットを底部パン１１６と筐体シェル１７６、１７８の一方または両方との間に形成された外部に露出された継ぎ目において含み得る。
【００９１】
図１１および１２に図示されるように、筐体１０４は、底部パネル１１６と下側筐体シェル１７８との間に位置付けられ、それらとシール係合され、汚染物質が底部パネル１１６と下側筐体シェル１７８との間に形成される継ぎ目を通して筐体１０４の中に進入することを防止する第１のガスケット１８４を含み得る。筐体１０４は、底部パネル１１６と上側筐体シェル１７６との間に位置付けられ、それらとシール係合され、汚染物質が底部パネル１１６と上側筐体シェル１７６との間に形成される継ぎ目を通して筐体１０４の中に進入することを防止する第２のガスケット１８６も含み得る。
【００９２】
ガスケット１８４、１８６は、それぞれ、底部パネル１１６の対向表面の周囲に連続的に延び、連続したシールを底部パネル１１６と下側および上側筐体シェル１７８、１７６との間に形成し得る。ガスケット１８４、１８６は、汚染アクセスポイントを効果的にシールし、それによって、継ぎ目が従来の方法を使用して清掃されることを可能にし得る。ガスケット１８４、１８６は、エラストマ材料から作製され得る。いくつかの実施形態では、ガスケット１８４、１８６は、Ｓｈｏｒｅ  Ａ硬度５〜１００を伴うエラストマ材料から作製される。
【００９３】
（耐衝撃性角）
図５は、例えば、図１の実施形態による移転デバイスの筐体１４の斜視図である。図５を参照すると、筐体１０４は、耐衝撃性角緩衝材１８８を有し得る。角緩衝材１８８は、筐体シェル１７６、１７８（図９−１２参照）より損傷を受けにくく、大きい損傷を伴わずに、衝撃を受ける能力、または衝撃エネルギーを吸収する能力を増加させる。衝撃および摩滅保護を筐体１０４の角および縁に提供することによって、角緩衝材１８８は、手荒な取り扱いまたはエネルギーを移転デバイス１００の構造部分（例えば、パネル１１６）に伝達することによる衝撃からの損傷を大きく低減させる。
【００９４】
角緩衝材１８８は、例えば、Ｓｈｏｒｅ  Ａ硬度１０〜１００を伴う（例えば、ラテックスなしの）、自皮殻発泡体および／またはゴム状化合物等の耐久性のある衝撃吸収エラストマ材料から形成され得る。角緩衝材１８８を形成するために使用される材料は、筐体シェル１７６、１７８と類似テクスチャおよび硬度特徴を有し、角緩衝材１８８の表面を横断した皮膚引きずりのリスクを低減させ得る。
【００９５】
図１３は、例えば、図５の実施形態による角緩衝材を伴わない筐体１０４の斜視図である。図１３を参照すると、筐体１０４は、角緩衝材のうちの１つを伴わずに示される。
【００９６】
図１３に図示されるように、周辺ガスケットまたは緩衝材１７４は、筐体１０４の外側縁に沿って延び、シールされた界面を上側筐体シェル１７６と下側筐体シェル１７８との間に形成する。１つ以上の留め具１８２が、少なくとも部分的に筐体シェル１７６、１７８および底部パネル１１６を通して延び、シェル１７６、１７８およびパネル１１６を一緒に結合し得る（図１１−１７参照）。
【００９７】
図１４は、例えば、図５の実施形態による筐体１０４の詳細断面図である。図１５は、例えば、同様に図５の実施形態による上側筐体シェル１７６が除去されている筐体１０４の詳細斜視図である。
【００９８】
図１４および１５を参照すると、角緩衝材１８８は、筐体シェル１７６、１７８と統合され得る。例えば、筐体シェル１７６、１７８は、それぞれ、角緩衝材１８８を筐体シェル１７６、１７８に取り付けるために、フランジ１９０、１９２を画定し得る。フランジ１９０、１９２は、互いに向かって延び得、それぞれ、角緩衝材１８８の上側および下側表面内に形成される溝１９４、１９６内に受け取られ、角緩衝材１８８を上側および下側シェル１７６、１７８に保持し得る。
【００９９】
角緩衝材１８８の保持部分１９８が、筐体シェル１７６、１７８間に受け取られ得、角緩衝材１８８の緩衝材部分または突起２００は、保持部分１９８から外向きに延び得、移転デバイス１００のそれぞれの角上の衝撃を吸収するように露出され得る。保持部分１９８および緩衝材突起２００は、溝１９４、１９６によって、互いから分離される。
【０１００】
図１５に図示されるように、１つ以上の留め具１８２が、角緩衝材１８８を底部パネル１１６、下側筐体シェル１７８、および上側筐体シェル１７６（図１５では、除去され、角緩衝材１８８が下側筐体シェル１７８および底部パネル１１６に対して位置付けられることを示す）に留め得る。いくつかの実施形態では、角緩衝材１８８は、衝撃点に局所化されたもの（例えば、弾性−非弾性衝撃シナリオに依拠する）とは対照的に、底部パネル１１６に接触し、衝撃エネルギーをより大きい表面積にわたって（例えば、パネル１１６にわたって）分散させるように特に設計される。
【０１０１】
（筐体の剛性および構造）
図６は、例えば、図５の実施形態による支持デバイスの構造パネル１１６の斜視図である。図７は、例えば、図６の実施形態による構造パネル１１６の一部の詳細図である。図８は、例えば、同様に図６の実施形態による構造パネル１１６の代替斜視図である。移転デバイス１００の剛性および構造は、部分的に底部パネル１１６によって提供される。
【０１０２】
図５−８に図示されるように、底部パネル１１６は、円周補強部を伴う基部２０４を含み、一実施形態では、構造側壁２０６が、基部２０４の周辺全体から上向きに延び、それによって、パンに類似する。側壁２０６は、平面であり得る基部２０４と実質的に垂直に向けられ得る。
【０１０３】
図２１Ａは、例えば、図５の実施形態によるリブ２０８を含む移転デバイスの筐体１０４の斜視図である。図２１Ｂは、例えば、図２１Ａの実施形態による移転デバイスの構造パネル１１６の斜視図である。
【０１０４】
図２１Ａおよび２１Ｂに図示されるように、基部２０４は、リブを含み、患者移転中、基部２０４とデッキアセンブリ１０２の底部側との間のクリアランスを維持するために好適な追加の剛性をパネル１１６に提供し得る。基部２０４は、筐体１０４の長さ方向に沿って縦方向に延びている複数の細長いリブ２０８を含み得る。
【０１０５】
リブ２０８は、筐体１０４の側方方向を横断して互いから間隔を置かれ得る。リブ２０８は、リブ２０８が、パネル１１６とデッキアセンブリ１０２との間の公称クリアランスを低減させないように、基部２０４から下向きに突出し得る。リブ２０８は、重量効率様式において、基部２０４のたわみを低減させ、それによって、筐体１０４の重量の最小限の増加を伴って、または全く伴わずに、患者移転中、基部２０４とデッキアセンブリ１０２との間の干渉を限定するように構成され得る。
【０１０６】
リブ２０８は、種々の寸法を有し得る。一実施形態では、リブ２０８は、清掃のための指幅アクセスを提供するために十分な幅（少なくとも３／４インチまたは１．９ｃｍの幅等）を有し、リブ２０８は、移転デバイス１００の全体的外形を最小限に増加させる、または増加させない、深度（約１／４インチまたは０．６ｃｍの深度等）を有する。
【０１０７】
リブ２０８は、患者移転中、筐体１０４がシフトすることを防止し得る。リブ２０８の幾何学的形状は、筐体１０４がシフトすることを阻止するように構成され得る。リブ２０８は、移転デバイス１００のシフトに対する物理的妨害を提供し得る。何故なら、リブ２０８が患者移転中に加えられる力を移すように垂直に突出し、リブ２０８が患者の体重の下のマットレスまたはパッド下の発泡体の台等の曲がりやすい下にある表面にもたれかかり得るからである。
【０１０８】
リブ２０８は、ベルト１０６およびローラ１１８、１２０の低摩擦移動（シフトを促進する筐体１０４への側方力を低減させる）および底部パネル１１６の外向きに面した表面２１６（例えば、底部表面）に適用される表面処理等、シフトを阻止する、他の特徴と組み合わせて提供され得る。パネル１１６の外向きに面した表面２１６の一部または全部は、高摩擦特性（例えば、高摩擦係数）を伴う表面処理または材料で構成され得る。
【０１０９】
一実施形態では、突出するリブ２０８は、筐体１０４の側方シフトをさらに阻止するための高摩擦コーティングまたは処理を含み得る。別の実施形態では、パネル１１６の外向きに面した表面２１６全体は、筐体１０４の側方シフトを阻止するための高摩擦コーティングまたは処理を含み得る。４つのリブ２０８が、図２１Ａおよび２１Ｂにおける実施形態に図示されるが、基部２０４は、４つより多いまたはより少ないリブを含み得る。
【０１１０】
既存の移転デバイスは、種々の構成要素を伴うフレームを含み、その円周補強部を伴うパネル１１６は、そのようなフレームの使用を排除し、それは、移転中、体重負荷のためのこのコア構成要素の剛性機能に影響を及ぼさずに、移転デバイス１００の全体的重量を低減させ、かつそれを潜在的に改良する。パネル１１６は、例えば、形成され、打ち抜かれ、鋳造され、または成型され得る。パネル１１６は、金属、プラスチック、金属とプラスチックとの組み合わせ、または構造的に統合された側壁２０６を形成することが可能な他の化合物もしくはポリマーから作製され得る。パネル１１６を形成するために使用される材料の曲げ弾性率は、最低でも０．１ＧＰＡを有し得る。パネル１１６は、その下向きに面した表面にわたる任意の点において、１０ｍｍ未満のたわみを有し得る。
【０１１１】
図７に図示されるように、リップ２１０が、パネル側壁２０６の上側縁に沿って形成され得る。リップ２１０は、フレーム部材１０８、１１０、１１２、１１４に対するパネル１１６の設置を促進し（図４参照）、側壁２０６およびパネル１１６自体の剛性も補強し得る。
【０１１２】
例えば、図９−１２に図示されるように、パネル１１６の側壁２０６の上部におけるリップ２１０は、下側筐体シェル１７８の直立壁２１２の上に配置され得、筐体シェル１７６、１７８間に捕捉され得る。側壁２０６と直立壁２１２とは、互いに平行かつ接触し得る。１つ以上の留め具１８２が、パネル１１６が、構造剛性を移転デバイス１００に提供するように、パネル１１６の側壁２０６および筐体シェル１７６、１７８を通して延び、パネル１１６および筐体シェル１７６、１７８を一緒に固定し得る。
【０１１３】
（接続ハードウェア）
図１−３を参照すると、移転デバイス１００は、目に見える外部ハードウェアまたは突出部を含まない。言い換えると、全ての外部に露出されたハードウェアおよびゴム製の足部またはレストは、移転デバイス１００内で排除され、利用可能な汚染物質アクセスおよび蓄積点を低減させている。
【０１１４】
図５に図示されるように、筐体１０４の構成要素（例えば、筐体シェルおよび構造パネル）は、パネル１１６の壁２０６を通して挿入される留め具１８２を筐体の組立のために適合される複数の機械的接続点において使用することによって、一緒に接続され得る。留め具１８２は、筐体１０４の内部からアクセス可能であり得、筐体１０４の外部から見えない。
【０１１５】
図９−１２に図示されるように、留め具１８２は、水平に向けられ得、上側筐体シェル１７６、下側筐体シェル１７８、および底部パネル１１６の垂直壁を貫通し、それによって、上側筐体シェル１７６、下側筐体シェル１７８、および底部パネル１１６を均一の比較的に剛体の構造に一緒に接合し得る。
【０１１６】
（パネルの摩擦特性）
図８を参照すると、パネル１１６の外向きに面した（例えば、底部）表面２１６の一部または全部は、移転デバイス１００が、使用中、第１の表面および第２の表面に対して移動することを防止する高摩擦特性（例えば、高摩擦係数）を伴う表面処理または材料で構成される。既存のデバイスは、デバイスの側部の周囲に配置されるエラストマ製の足部を含むが、パネル１１６の高摩擦特性は、これらのエラストマ製の足部を移転デバイス１００から排除する。耐損傷コーティングが、パネル１１６の外向きに面した表面２１６に塗布され、表面２１６を損傷から保護し得る。
【０１１７】
パネル１１６の底部表面２１６は、本明細書に説明されるように、１つの表面から別の表面への患者の移転中、筐体１０４を実質的に静止した状態に保つために、高摩擦材料（例えば、ゴムまたは類似エラストマ）を含み得る。したがって、通常動作では、筐体１０４は、ある他の（例えば、ローラボード）設計におけるように、移転プロセス中、患者（または他者の身体）に伴って移動しない。代わりに、患者および下にあるシートは、ベルト１０６の回転に伴って移動する。
【０１１８】
用語「実質的に静止」は、したがって、本明細書の移転デバイス１００および筐体１０４に対して使用されるように、患者移転プロセス中、筐体１０４の少なくとも一部が、第１の（開始側）表面と接触したままであり、筐体１０４の少なくとも別の部分が、第２の（目的地側）表面と接触したままであることを示す。それぞれの初期および最終表面と接触する移転デバイス１００の部分は、限定ではないが、（例えば、側部フレーム１０８および／または側部フレーム１１０に沿った）筐体１０４の１つ以上の側部および／または底部パネル１１６を含み得る。パネル１１６の底部表面は、患者の移転中、移転デバイス１００を第１および第２の表面のうちの少なくとも１つに対して実質的に静止した状態に保つように構成される。
【０１１９】
図４および６を参照すると、パネル１１６の内部（例えば、上部）表面２１８は、低摩擦処理または材料特性（例えば、低摩擦係数を伴う）を有し、ベルト１０６および関連付けられた移転シートが、パネル１１６に対して妨害のない回転移動を有することを確実にする。パネル１１６の内部表面２１８は、低摩擦表面仕上げ（例えば、選択されたポリマーまたは最適化された熱可塑性材料）、テクスチャ、または被覆（例えば、ＴＥＦＬＯＮ（登録商標）またはシリコーン材料で含浸されるナイロン）を有し、静的および動的摩擦係数を低減させ得る。
【０１２０】
移転デバイス１００は、既存の移転デバイスに優る複数の利点を提供する。例えば、移転デバイス１００は、既存の移転デバイスと比較して、低減させられた全体的重量を有し、それによって、看護士および／または他の医療スタッフが、移転デバイス１００を移動させ、患者を第１の（初期）表面から第２の（目的地側）表面に移すことをより容易にする。
【０１２１】
移転デバイス１００は、既存の移転デバイスと比較して、デバイス１００に対して低減させられた損傷リスクを有する。例えば、移転デバイス１００は、衝撃保護を移転デバイス１００に提供する角緩衝材および／または周辺ガスケットを有する。
【０１２２】
移転デバイス１００は、ウイルス／細菌汚染の低減させられたリスクを提供する。例えば、移転デバイス１００は、シールされた継ぎ目および界面をその種々の構成要素間に提供し、外部接続または他の突出するハードウェアを排除し、それによって、移転デバイス１００の中への汚染アクセスポイントを低減させ、清掃を促進する。
【０１２３】
移転デバイス１００は、低減させられた数の構成要素を有し、それによって、移転デバイス１００をより製造および組み立てし易くする。例えば、移転デバイス１００は、別個の構造支持フレームを含まず、むしろ、移転デバイス１００の底部として機能し、構造剛性を移転デバイス１００に提供する構造側壁を伴う底部パネルを含む。
【０１２４】
移転デバイス１００は、患者移転中、第１の表面と第２の表面との間の間隙をまたぐデバイス移動および停滞を低減させる。例えば、移転デバイス１００は、位置付け用の脚部を伴わない高摩擦底部表面を含み、それは、耐滑動表面を提供し、患者移転中、移転デバイス１００が不注意に移動しないことを確実にする。
【０１２５】
移転デバイス１００は、ローラ上のベルト移動を低減させる。例えば、移転デバイス１００は、ベルトを不注意による移動から制限する縁取りされた縁を伴うベルトを含む。
【０１２６】
（移転方法）
患者搬送システムまたは移転デバイス１００は、その構造から利点を享受する患者移転のための方法を用いて使用される。これらは、患者を第１の表面から第２の表面に移す方法を含み、方法は、第１の表面と第２の表面との間の間隙に移転デバイスを架け渡すことであって、デバイスは、第１および第２の対向している端部に結合された第１および第２の対向している側部を伴う筐体と、第１および第２の対向している側部と第１および第２の対向している端部とに結合され、間隙を横断して移動する患者が装填されたとき、構造剛性を移転デバイスに提供する円周補強部を有するパネルであって、第１の表面は、第１の側部に近接し、第２の表面は、第２の側部に近接している、パネルとを備えている、ことと、使い捨てシート上で患者を第１の表面から第２の表面に移動させることとを含み、使い捨てシートは、デッキの周りに配置され連続ベルト取り付けられ、デッキは、間隙にび、少なくとも部分的に筐体内に位置付けられ、それによって支持されている。
【０１２７】
この方法において、パネルは、患者が移動している間、移転デバイスの位置を第１および第２の表面に対して維持するように適合された底部表面摩擦特徴に沿って、第１および第２の表面に接触し得る。この方法において、移転デバイスは、筐体を流体および他の汚染物質進入に対してシールするように適合されたシールされた外部周辺を含み得る。
【０１２８】
この方法は、患者をデバイス上に装填し、移動を実施する前、使い捨てシートを少なくとも部分的に筐体の中に挿入することをさらに含み得る。この方法は、デッキを筐体から除去し、その向きを逆転させることもさらに含み得、デッキは、デッキの上部および底部表面が逆転された状態で、筐体内に配置される。この方法は、第１の表面と第２の表面との間の間隙に移転デバイスを架け渡すことをさらに含み得、患者は、患者を第１の表面から第２の表面に間隙をまたいで移動させることにおいて、筐体によって支持され、使い捨てシート上で、それとともに移動する。
【０１２９】
この方法は、デッキの対向している側部に沿って連続ベルトとともに配置された第１および第２の細長いローラを回転させることもさらに含み得、連続ベルトは、患者を第１の表面から第２の表面に移すことにおいて第１および第２の細長いローラと回転係合され、第１および第２の細長いローラは、デッキの対向している端部からその中央部分へ増加する許容差だけ、デッキの対向している側部から間隔を置かれ、許容差は、患者を第１の表面から第２の表面に連続ベルト上で移すことにおいて、ローラおよび／または筐体のたわみのためのクリアランスを維持するように選択される。
【０１３０】
本発明は、例示的実施形態を参照して説明されたが、本発明の精神および範囲から逸脱することなく、種々の変更が、行われることができ、異なる均等物が、その特定の要素に代用され得ることが当業者によって理解されるであろう。本発明は、したがって、開示される、特定の実施例に限定されず、添付の請求項によって包含される実施形態の不可欠な範囲から逸脱することなく異なる問題および状況にも適合され、異なる材料および技法が適用されることができる。
【図１Ａ】
2020534960.tif 000002
【図１Ｂ】
2020534960.tif 000003
【図２】
2020534960.tif 000004
【図３】
2020534960.tif 000005
【図４】
2020534960.tif 000006
【図５】
2020534960.tif 000007
【図６】
2020534960.tif 000008
【図７】
2020534960.tif 000009
【図８】
2020534960.tif 000010
【図９】
2020534960.tif 000011
【図１０】
2020534960.tif 000012
【図１１】
2020534960.tif 000013
【図１２】
2020534960.tif 000014
【図１３】
2020534960.tif 000015
【図１４】
2020534960.tif 000016
【図１５】
2020534960.tif 000017
【図１６】
2020534960.tif 000018
【図１７】
2020534960.tif 000019
【図１８】
2020534960.tif 000020
【図１９】
2020534960.tif 000021
【図２０】
2020534960.tif 000022
【図２１Ａ】
2020534960.tif 000023
【図２１Ｂ】
2020534960.tif 000024
【図２２】
2020534960.tif 000025
【図２３】
2020534960.tif 000026
【図２４】
2020534960.tif 000027
【国際調査報告】
2020534960.tif 000028
2020534960.tif 000029
2020534960.tif 000030